(57)【要約】      （修正有）【課題】吹き出し口から前方及び側方の両方に略水平方向に冷気を吹き出させる広角吹き出しモード時において、ショートサーキット現象が発生することにより室内が冷え難くなるおそれを低減することができる空調室内機の提供。【解決手段】室内機は、冷房機能を有する壁掛型の室内機であって、吹き出し口と吹き出し口よりも上方に位置する吸い込み口とが形成されているケーシング１１と、吹き出し口から吹き出す冷気の風向を変更可能な水平フラップ２５と、吹き出し口周辺に配置される吹き出し調整部５０，５０と、吹き出し口から前方及び側方の両方に略水平方向に冷気を吹き出させる広角吹き出しモードを実行する制御部と、を備える。吹き出し調整部５０，５０は、広角吹き出しモード実行時に、平面視における吹き出し口の周囲の所定領域において風速が所定風速以下の吹き出し途切れ領域が形成されるように、冷気の略水平方向への吹き出しを阻害する。【選択図】図４
2012202663.tif 000002
【特許請求の範囲】
【請求項１】
冷房機能を有する壁掛型の空調室内機であって、
吹き出し口（１３，１１３，２１３，３１３，４１３，５１３，６１３）と、前記吹き出し口よりも上方に位置する吸い込み口（１２）とが形成されているケーシング（１１，２１１，３１１，４１１）と、
前記吹き出し口から吹き出す冷気の風向を変更可能なフラップ（２０）と、
前記吹き出し口周辺に配置される吹き出し調整部（５０，１５０，２５０，３５０，４５０，５５０，６５０）と、
前記吹き出し口から前方及び側方の両方に略水平方向に冷気を吹き出させる広角吹き出しモードを実行する制御部（６０）と、
を備え、
前記吹き出し調整部は、前記広角吹き出しモード実行時に、平面視における前記吹き出し口の周囲の所定領域において風速が所定風速以下の吹き出し途切れ領域が形成されるように、冷気の略水平方向への吹き出しを阻害する、
空調室内機（１０）。
【請求項２】
前記所定領域において、前記吹き出し途切れ領域は、２箇所以上形成されている、
請求項１に記載の空調室内機。
【請求項３】
前記吹き出し途切れ領域では、前記吹き出し口から吹き出された冷気が、略水平方向よりも下向きに流れている、
請求項１又は２に記載の空調室内機。
【請求項４】
前記フラップは、前記吹き出し口から吹き出す冷気の上下方向の風向を変更可能な水平フラップ（３２５）を含み、
前記吹き出し調整部は、前記水平フラップの前部に形成された切り欠き部（３５１，３５２，３５３）である、
請求項３に記載の空調室内機。
【請求項５】
前記切り欠き部は、前記水平フラップが、前記水平フラップの前端の所定位置から前記水平フラップの側端に向かって斜めに切り欠かれることで形成されている、
請求項４に記載の空調室内機。
【請求項６】
前記ケーシング内には、前記吸い込み口から吸い込まれ前記吹き出し口から吹き出される冷気の流れる流路（Ａ）が形成されており、
前記吹き出し調整部は、前記流路のうち前記吹き出し口前部近傍を広げるように形成された凹部（４５１）である、
請求項３に記載の空調室内機。
【請求項７】
前記フラップは、前記吹き出し口から吹き出す冷気の上下方向の風向を変更可能な水平フラップ（５２５）を含み、
前記吹き出し調整部は、前記水平フラップの前側端部或いは側端部から下方に向かって折れ曲がるように形成された湾曲部（５５１）、或いは、前記水平フラップの前部において下方に向かって窪むように形成された凹部（５５２）である、
請求項３に記載の空調室内機。
【請求項８】
前記吹き出し調整部は、前記吹き出し口の所定部分からの冷気の吹き出しを遮蔽する、
請求項１又は２に記載の空調室内機。
【請求項９】
冷房機能を有する壁掛型の空調室内機であって、
吹き出し口（８１３）と、前記吹き出し口よりも上方に位置する吸い込み口（８１２）とが形成されているケーシング（８１１）と、
前記吹き出し口から吹き出す冷気の風向を変更可能なフラップ（８２０）と、
前記吹き出し口から前方及び側方の両方に略水平方向に冷気が吹き出される場合に、平面視における前記吹き出し口の周囲の所定領域において風速が所定風速以下の吹き出し途切れ領域が形成されるように、前記フラップの駆動を制御する制御部（８６０）と、
を備える空調室内機（８１０）。
【請求項１０】
前記所定領域において、前記吹き出し途切れ領域は、２箇所以上形成されている、
請求項９に記載の空調室内機。
【請求項１１】
前記フラップは、前記吹き出し口から吹き出す冷気の左右方向の風向を変更する複数の垂直フラップ（８２１）を含む、
請求項９又は１０に記載の空調室内機。
【請求項１２】
前記フラップは、前記吹き出し口から吹き出す冷気の上下方向の風向を変更する複数の水平フラップ（８２５）を含む、
請求項９又は１０に記載の空調室内機。
【発明の詳細な説明】
【技術分野】
【０００１】
本発明は、冷房機能を有する壁掛型の空調室内機に関する。
【背景技術】
【０００２】
従来より、冷房機能を有する壁掛型の空調室内機において、吹き出し口の前方及び側方に同時に冷気を吹き出すことで、室内の広い範囲を空調するものがある。例えば、特許文献１（特開２００６−２９８４号公報）に開示されている空気調和機は、正面下部及び左右に吹き出し口が設けられており、正面下部の吹出口を上下風向板で完全に閉塞しないで、やや開放しておくことにより、吹き出し口の前方及び側方に同時に空気を吹き出すことで、室内の広い範囲を空調するように構成されている。
【発明の概要】
【発明が解決しようとする課題】
【０００３】
ところで、冷房時において、吹き出し口の前方及び側方に同時に冷気を吹き出すことで、室内の広い範囲を空調する場合、吹き出し口から吹き出した冷気が、吹き出し口の前方から側方に渡るエアカーテンを形成する。そして、空調室内機の吹き出し口が吸い込み口よりも上方にある場合には、エアカーテンにより空間が仕切られているため、エアカーテンよりも下方の空気が吸い込み口から吸い込まれ難くなるショートサーキット現象が発生するおそれがある。このため、エアカーテンの下方が冷え難くなり、結果として、室内が冷え難くなるおそれがある。
【０００４】
そこで、本発明の課題は、吹き出し口から前方及び側方の両方に略水平方向に冷気を吹き出させる広角吹き出しモード時において、ショートサーキット現象が発生することにより室内が冷え難くなるおそれを低減することができる空調室内機を提供することにある。
【課題を解決するための手段】
【０００５】
本発明の第１観点に係る空調室内機は、冷房機能を有する壁掛型の空調室内機であって、ケーシングと、フラップと、吹き出し調整部と、制御部と、を備える。ケーシングには、吹き出し口と、吹き出し口よりも上方に位置する吸い込み口とが形成されている。フラップは、吹き出し口から吹き出す冷気の風向を変更可能である。吹き出し調整部は、吹き出し口周辺に配置される。制御部は、吹き出し口から前方及び側方の両方に略水平方向に冷気を吹き出させる広角吹き出しモードを実行する。また、吹き出し調整部は、広角吹き出しモード実行時に、吹き出し途切れ領域が形成されるように冷気の略水平方向への吹き出しを阻害する。吹き出し途切れ領域とは、平面視における吹き出し口の周囲の所定領域において風速が所定風速以下の領域のことである。
【０００６】
本発明の第１観点に係る空調室内機では、広角吹き出しモードの実行時に、吹き出し調整部によって吹き出し途切れ領域が形成される。このため、所定領域にエアカーテンが形成される場合に、エアカーテンよりも下方の冷気が、吹き出し途切れ領域から上方に流れやすくなる。これにより、エアカーテンよりも下方の冷気を吸い込み口から吸い込むことができるため、ショートサーキット現象が発生することにより室内が冷え難くなるおそれを低減することができる。
【０００７】
なお、ここでいう所定風速とは、吹き出し口から略水平方向に３０ｃｍ離れた位置における風速の平均値の５０％の風速であり、より好ましくは、吹き出し口から略水平方向に３０ｃｍ離れた位置における風速の平均値の２５％の風速のことである。
【０００８】
また、平面視とは、室内の壁面（側壁面）に設置された状態の空調室内機を上側から見た状態をいう。
【０００９】
本発明の第２観点に係る空調室内機は、第１観点の空調室内機において、所定領域において、吹き出し途切れ領域は、２箇所以上形成されている。この空調室内機では、吹き出し途切れ領域が複数箇所に形成されているため、所定領域にエアカーテンが形成される場合であって、途切れ領域が１箇所だけ形成される場合と比較して、エアカーテンよりも下方の冷気が吹き出し途切れ領域から上方に流れやすくなっている。
【００１０】
本発明の第３観点に係る空調室内機は、第１観点又は第２観点の空調室内機において、吹き出し途切れ領域では、吹き出し口から吹き出された冷気が、略水平方向よりも下向きに流れている。この空調室内機では、吹き出し口から略水平方向よりも下向きに冷気が流れることで、吹き出し途切れ領域を形成することができる。
【００１１】
本発明の第４観点に係る空調室内機は、第３観点の空調室内機において、フラップは、吹き出し口から吹き出す冷気の上下方向の風向を変更可能な水平フラップを含む。また、吹き出し調整部は、水平フラップの前部に形成された切り欠き部である。この空調室内機では、水平フラップにおいて切り欠き部の設けられている部分は、他の部分と比較してその前縁が空調室内機の前後方向の後方に位置するため、切り欠き部の形成されている部分から流れる冷気は、切り欠き部の形成されていない他の部分から流れる冷気と比較して下方に流れる。この結果、吹き出し途切れ領域を形成することができる。
【００１２】
本発明の第５観点に係る空調室内機は、第４観点の空調室内機において、切り欠き部は、水平フラップが、水平フラップの前端の所定位置から水平フラップの側端に向かって斜めに切り欠かれることで形成されている。この空調室内機では、水平フラップにおいて切り欠き部の設けられている部分は、他の部分と比較してその前縁が空調室内機の前後方向の後方に位置するため、切り欠き部の形成されている部分から流れる冷気は、切り欠き部の形成されていない他の部分から流れる冷気と比較して下方に流れる。この結果、吹き出し途切れ領域を形成することができる。
【００１３】
本発明の第６観点に係る空調室内機は、第３観点の空調室内機において、ケーシング内には、吸い込み口から吸い込まれ吹き出し口から吹き出される冷気の流れる流路が形成されている。また、吹き出し調整部は、流路のうち吹き出し口前部近傍を広げるように形成された凹部である。この空調室内機では、流路に凹部が形成されることにより、吹き出し口から吹き出される冷気を水平フラップが十分に規制できないため、冷気が下方に流れる。この結果、吹き出し途切れ領域を形成することができる。
【００１４】
本発明の第７観点に係る空調室内機は、第３観点の空調室内機において、フラップは、吹き出し口から吹き出す冷気の上下方向の風向を変更可能な水平フラップを含む。また、吹き出し調整部は、水平フラップの湾曲部或いは凹部である。湾曲部は、水平フラップの前側端部或いは側端部から下方に向かって折れ曲がるように形成されている。凹部は、水平フラップの前部において下方に向かって窪むように形成されている。この空調室内機では、吹き出し口から吹き出された冷気が、湾曲部或いは凹部によって規制されて、略水平方向よりも下方に流れることで、吹き出し途切れ領域を形成することができる。
【００１５】
本発明の第８観点に係る空調室内機は、第１観点又は第２観点の空調室内機において、吹き出し調整部は、吹き出し口の所定部分からの冷気の吹き出しを遮蔽する。この空調室内機では、吹き出し口の所定部分からの冷気の吹き出しを遮蔽することで、吹き出し途切れ領域を形成することができる。
【００１６】
本発明の第９観点に係る空調室内機は、冷房機能を有する壁掛型の空調室内機であって、ケーシングと、フラップと、制御部と、を備える。ケーシングには、吹き出し口と、吹き出し口よりも上方に位置する吸い込み口とが形成されている。フラップは、吹き出し口から吹き出す冷気の風向を変更可能である。制御部は、吹き出し口から前方及び側方の両方に略水平方向に冷気が吹き出される場合に、吹き出し途切れ領域が形成されるように、フラップの駆動を制御する。吹き出し途切れ領域とは、平面視における吹き出し口の周囲の所定領域において風速が所定風速以下の領域のことである。
【００１７】
本発明の第９観点に係る空調室内機では、吹き出し口から前方及び側方の両方に略水平方向に冷気が吹き出される場合に、吹き出し途切れ領域が形成されるようにフラップの駆動が制御される。このため、所定領域にエアカーテンが形成される場合に、エアカーテンよりも下方の冷気が、吹き出し途切れ領域から上方に流れやすくなる。これにより、エアカーテンよりも下方の冷気を吸い込み口から吸い込むことができるため、ショートサーキット現象が発生することにより室内が冷え難くなるおそれを低減することができる。
【００１８】
なお、ここでいう所定風速とは、吹き出し口から略水平方向に３０ｃｍ離れた位置における風速の平均値の５０％の風速であり、より好ましくは、吹き出し口から略水平方向に３０ｃｍ離れた位置における風速の平均値の２５％の風速のことである。
【００１９】
また、平面視とは、室内の壁面（側壁面）に設置された状態の空調室内機を上側から見た状態をいう。
【００２０】
本発明の第１０観点に係る空調室内機は、第９観点の空調室内機において、所定領域において、吹き出し途切れ領域は、２箇所以上形成されている。この空調室内機では、吹き出し途切れ領域が複数箇所形成されているため、所定領域にエアカーテンが形成される場合であって、途切れ領域が１箇所だけ形成される場合と比較して、エアカーテンよりも下方の冷気が吹き出し途切れ領域から上方に流れやすくなっている。
【００２１】
本発明の第１１観点に係る空調室内機は、第９観点又は第１０観点の空調室内機において、フラップは、複数の垂直フラップを含む。複数の垂直フラップは、吹き出し口から吹き出す冷気の左右方向の風向を変更する。この空調室内機では、複数の垂直フラップの駆動が制御されることで、吹き出し途切れ領域を形成することができる。
【００２２】
本発明の第１２観点に係る空調室内機は、第９観点又は第１０観点の空調室内機において、フラップは、複数の水平フラップを含む。複数の水平フラップは、吹き出し口から吹き出す冷気の上下方向の風向を変更する。この空調室内機では、複数の水平フラップの駆動が制御されることで、吹き出し途切れ領域を形成することができる。
【発明の効果】
【００２３】
本発明の第１観点に係る空調室内機では、ショートサーキット現象が発生することにより室内が冷え難くなるおそれを低減することができる。
【００２４】
本発明の第２観点に係る空調室内機では、所定領域にエアカーテンが形成される場合に、エアカーテンよりも下方の冷気が吹き出し途切れ領域から上方に流れやすくなっている。
【００２５】
本発明の第３観点に係る空調室内機では、吹き出し口から略水平方向よりも下向きに冷気が流れることで、吹き出し途切れ領域を形成することができる。
【００２６】
本発明の第４観点に係る空調室内機では、切り欠き部の形成されている部分から流れる冷気が切り欠き部の形成されていない他の部分から流れる冷気と比較して下方に流れるため、吹き出し途切れ領域を形成することができる。
【００２７】
本発明の第５観点に係る空調室内機では、切り欠き部の形成されている部分から流れる冷気が切り欠き部の形成されていない他の部分から流れる冷気と比較して下方に流れるため、吹き出し途切れ領域を形成することができる。
【００２８】
本発明の第６観点に係る空調室内機では、流路に凹部が形成されることにより冷気を下方に流すことができるため、吹き出し途切れ領域を形成することができる。
【００２９】
本発明の第７観点に係る空調室内機では、吹き出し口から吹き出された冷気が、湾曲部或いは凹部によって規制されて、略水平方向よりも下方に流れることで、吹き出し途切れ領域を形成することができる。
【００３０】
本発明の第８観点に係る空調室内機では、吹き出し口の所定部分からの冷気の吹き出しを遮蔽することで、吹き出し途切れ領域を形成することができる。
【００３１】
本発明の第９観点に係る空調室内機では、ショートサーキット現象が発生することにより室内が冷え難くなるおそれを低減することができる。
【００３２】
本発明の第１０観点に係る空調室内機では、所定領域にエアカーテンが形成される場合に、エアカーテンよりも下方の冷気が吹き出し途切れ領域から上方に流れやすくなっている。
【００３３】
本発明の第１１観点に係る空調室内機では、複数の垂直フラップの駆動が制御されることで、吹き出し途切れ領域を形成することができる。
【００３４】
本発明の第１２観点に係る空調室内機では、複数の水平フラップの駆動が制御されることで、吹き出し途切れ領域を形成することができる。
【図面の簡単な説明】
【００３５】
【図１】本発明の第１実施形態に係る室内機の外観斜視図。
【図２】本発明の第１実施形態に係る室内機の外観斜視図。
【図３】室内機の概略縦断面図。
【図４】吹き出し口近傍の部分概略図。
【図５】室内機の右側下部の部分概略図。
【図６】室内機の備える制御部の制御ブロック図。
【図７】従来の室内機を上方から見た図。
【図８Ａ】室内機を上方から見た図。
【図８Ｂ】途切れ領域の風速を説明するための図。
【図９Ａ】室内機を上方から見た図であって、室内機の側方に途切れ領域が形成される場合について説明するための図。
【図９Ｂ】室内機を上方から見た図であって、室内機の前方に途切れ領域が形成される場合について説明するための図。
【図１０】変形例１Ａに係る室内機の吹き出し口近傍の部分概略図。
【図１１】変形例１Ａに係る室内機の縦断面図。
【図１２】変形例１Ａに係る室内機を下方から見た図。
【図１３】変形例１Ａに係る室内機を上方から見た図。
【図１４】変形例１Ｂに係る室内機を下方から見た図。
【図１５】変形例１Ｂに係る室内機を下方から見た図。
【図１６】変形例１Ｂに係る室内機を下方から見た図。
【図１７】変形例１Ｂに係る室内機を上方から見た図。
【図１８】変形例１Ｂに係る室内機を上方から見た図。
【図１９】変形例１Ｂに係る室内機を下方から見た図。
【図２０】（ａ）従来の室内機の概略縦断面図、（ｂ）変形例１Ｃに係る室内機の概略縦断面図。
【図２１】変形例１Ｄに係る室内機の概略縦断面図。
【図２２】変形例１Ｄに係る室内機の概略従断面図。
【図２３】変形例１Ｅに係る室内機を下方から見た図。
【図２４】変形例１Ｅに係る室内機の側面図。
【図２５】本発明の第２実施形態に係る室内機の概略縦断面図。
【図２６】室内機の備える制御部の制御ブロック図。
【図２７】室内機を上方から見た図。
【図２８】従来の室内機の概略縦断面図。
【図２９】従来の室内機を上方から見た図。
【図３０】変形例２Ａに係る室内機の概略縦断面図。
【発明を実施するための形態】
【００３６】
以下、図面を参照しながら本発明の第１実施形態に係る室内機１０について説明する。なお、以下の実施形態は、本発明の具体例であって、本発明の技術的範囲を限定するものではない。
【００３７】
＜第１実施形態＞
（１）空調室内機の構成
図１は、運転停止時の室内機１０の外観斜視図である。図２は、運転時の室内機１０の外観斜視図である。
【００３８】
室内機１０は、室内の壁Ｗ面に取り付けられる壁掛型の室内機である（図１及び図２参照）。また、室内機１０は、冷房機能を有しており、室外に設置される室外機（図６参照）９０と共に空気調和機を構成しており、冷房運転や暖房運転を含む各種運転が行われる。
【００３９】
さらに、室内機１０は、主として、ケーシング１１と、フラップ（図３参照）２０と、側方遮蔽部材３０，３０と、吹き出し調整部（図３参照）５０，５０と、制御部（図６参照）６０と、を備える。
【００４０】
（１−１）ケーシング
ケーシング１１は、図１、図２及び図３に示すように、水平方向に長い略直方形状の部材である。また、ケーシング１１には、室内熱交換器、室内ファン１９、および、後述する垂直フラップ２１等が収納されている。さらに、ケーシング１１には、吸い込み口１２と、吹き出し口１３とが形成されている。吸い込み口１２は、室内の空気をケーシング１１の内側に取り込むための開口であって、ケーシング１１の上部に（本実施形態では、天面に）形成されている。
【００４１】
吹き出し口１３は、ケーシング１１内で調和された空気を、室内に吹き出すための開口であって、室内機１０の下部近傍に室内機１０の左右方向に延びるように形成されている。具体的には、吹き出し口１３は、ケーシング１１の底面から両側面にかけて連続して形成されている。なお、本実施形態では、吹き出し口１３がケーシング１１の底面から両側面にかけて連続して形成されているが、これに限定されず、吹き出し口がケーシングの前面から両側面にかけて連続して形成されていてもよい。また、吹き出し口が、ケーシング１１の底面から両側面にかけて連続して形成されておらず、ケーシングの底面と両側面とに別々に形成されていてもよい。
【００４２】
また、ケーシング１１内には、吸い込み口１２から吹き出し口１３に至る空気流路Ａが形成されている。この空気流路Ａ内には、室内ファン１９、室内熱交換器および複数の垂直フラップ２１等が配置されている。さらに、この空気流路Ａには、室内ファン１９から垂直フラップ２１を介して吹き出し口１３に至るまでの流路部分である吹き出し流路Ｂが含まれる。
【００４３】
室内熱交換器は、長手方向両端で複数回折り返されてなる伝熱管と、伝熱管に挿通される複数のフィンとからなり、接触する空気との間で熱交換を行う。また、室内熱交換器は、暖房運転時には凝縮器として機能し、冷房運転時には蒸発器として機能する。
【００４４】
室内ファン１９は、モータと、モータにより回転駆動される羽根車とを有するクロスフローファンである。また、室内ファン１９は、吸い込み口１２からケーシング１１内に室内空気を吸入し、室内熱交換器を通過させた後に、吹き出し口１３からケーシング１１外に調和空気を吹き出す空気流を形成することができる。
【００４５】
（１−２）フラップ
フラップ２０は、吹き出し口１３から吹き出す空気の風向を変更可能であって、複数のフラップ２１，２５を有している。複数のフラップ２１，２５には、複数の垂直フラップ２１と、１又は複数の水平フラップ２５と、が含まれる。
【００４６】
複数の垂直フラップ２１は、上述のように吹き出し流路Ｂに配置されている。また、複数の垂直フラップ２１は、連結棒（図示せず）によって連結されており、１又は複数の駆動モータを有する所定の駆動機構（図６参照）２２により、連結棒が駆動される。駆動機構２２によって連結棒が駆動されることで、連結された複数の垂直フラップ２１が、同時に同方向へ揺動する。具体的には、連結された複数の垂直フラップ２１の面が、ケーシング１１の長手方向に対して垂直な状態を中心に左又は右に揺動する。そして、垂直フラップ２１は、揺動することにより、または、揺動した後に任意の角度で止まることで、室内機１０の左右方向における調和空気の吹き出し方向を調整する。
【００４７】
水平フラップ２５は、室内機１０の左右方向に長い板状の部材である。また、水平フラップ２５は、室内機１０の下部に配置されている。具体的には、水平フラップ２５は、吹き出し口１３においてケーシング１１の底面に形成されている開口部分の略全部を覆うことが可能なように配置されている。なお、本実施形態では、室内機１０は、１枚の水平フラップ２５を備えているが、これに限定されず、複数枚の水平フラップを備えていてもよい。
【００４８】
また、水平フラップ２５は、所定の姿勢を採ることにより、室内機１０の上下方向における調整空気の吹き出し方向を調整する。なお、水平フラップ２５は、駆動モータを有する所定の駆動機構（例えば、ラック／ピニオン機構を有する駆動機構や、リンク機構等）２６により駆動されることによって、姿勢が変更され、かつ、変更された姿勢が維持される。
【００４９】
さらに、水平フラップ２５の所定の姿勢には、広角姿勢が含まれる（図４参照）。広角姿勢とは、吹き出し口１３において、水平フラップ２５によって覆われる部分を吹き出し口１３の正面部１４とすると、吹き出し口１３の正面部１４に対して略平行に配置される水平フラップ２５の姿勢のことである。水平フラップ２５が、広角姿勢を採る場合には、吹き出し口１３の正面部１４から吹き出された空気は、水平フラップ２５に規制されることで、室内機１０の前方、後方及び両側方に略水平方向に吹き出される。
【００５０】
（１−３）側方遮蔽部材
側方遮蔽部材３０，３０は、吹き出し口１３において、主にケーシング１１の側面に形成されている開口部分を覆うことが可能な部材であって、室内機１０の左右両側方下部に配置されている（図１及び図２参照）。また、吹き出し口１３において、側方遮蔽部材３０，３０によって覆われる部分を、吹き出し口１３の側面部１５，１５とすると、側方遮蔽部材３０，３０は、側面部１５，１５を覆うように位置する閉状態と、側面部１５，１５を開放する開状態と、を採ることが可能である。また、側方遮蔽部材３０，３０は、駆動モータを有する所定の駆動機構（図６参照）３１により駆動されることによって、状態が切り換えられ、かつ、切り換えられた状態が維持される。
【００５１】
なお、本実施形態の室内機１０は、側方遮蔽部材３０，３０を備えているが、これに限定されず、側方遮蔽部材を備えておらず、吹き出し口において、ケーシングの側面に形成されている開口部分が常に開放されていてもよい。
【００５２】
（１−４）吹き出し調整部
吹き出し調整部５０，５０は、吹き出し口１３から前方及び側方の両方に略水平方向に空気が吹き出される場合に、室内機１０の前方から側方に渡るエアカーテンが形成されないように、冷気の略水平方向への吹き出しを阻害する。より詳しくは、吹き出し調整部５０，５０は、フラップ２０や側方遮蔽部材３０，３０とは別の板状の部材であって、吹き出し口１３周辺に配置されている。具体的には、吹き出し調整部５０，５０は、吹き出し流路Ｂの前部近傍であって、吹き出し口１３の正面部１４における両端部近傍に配置されている（図３参照）。
【００５３】
また、吹き出し調整部５０，５０は、ケーシング１１内に収納されている収納状態と、吹き出し口１３を介してケーシング１１内から迫り出されている迫り出し状態と、を採る。なお、吹き出し調整部５０，５０は、駆動モータを有する駆動機構（例えば、ラック／ピニオン機構を有する駆動機構や、リンク機構等）５１により駆動されることで、収納状態と迫り出し状態とが切り換えられる。また、吹き出し調整部５０，５０が迫り出し状態を採る場合、吹き出し調整部５０，５０は、吹き出し口１３から吹き出された空気の風路の一部を遮蔽する（図５参照）。具体的には、吹き出し調整部５０，５０が迫り出し状態を採る場合、吹き出し調整部５０，５０は、吹き出し口１３の正面部１４から吹き出された空気のうち、水平フラップ２５によって規制されて前方に吹き出す空気の風路の一部を遮蔽する（図８Ａ参照）。
【００５４】
（１−５）制御部
制御部６０は、図６に示すように、室内機１０および室外機９０の各種機器と接続されており、リモートコントローラ８０を介したユーザからの運転指令に基づいて、冷房運転や暖房運転等の各運転に応じた各種機器の運転制御を行う。
【００５５】
また、リモートコントローラ８０には、運転停止／開始ボタン、運転モード切り換えボタン等の複数のスイッチが設けられている。運転停止／開始ボタンは、ユーザによって空気調和機の運転が停止されるとき、または、運転が開始されるときに操作されるスイッチである。また、運転モード切り換えボタンは、ユーザによって空気調和機の各種運転に含まれる運転モードが設定されるときに操作されるスイッチである。なお、運転モードには、少なくとも、通常冷房モード、広角吹き出し冷房モード（広角吹き出しモードに相当）が含まれる。なお、広角吹き出し冷房モードとは、吹き出し口１３から前方及び側方の両方に略水平方向に冷気を吹き出すモードである。
【００５６】
また、制御部６０は、実行部６１を備えている。実行部６１は、室内機１０の各種機器の運転制御を行うことで、各種運転モードに応じた運転を実行する。また、実行部６１は、制御部６０から送信されるリモートコントローラ８０からの運転モード設定指令及び運転停止指令に関する各制御信号を、受信することができる。
【００５７】
さらに、実行部６１は、水平フラップ２５、垂直フラップ２１、側方遮蔽部材３０，３０、及び、吹き出し調整部５０，５０のそれぞれを駆動させる駆動機構２２，２６，３１，５１を制御することで、水平フラップ２５、垂直フラップ２１、側方遮蔽部材３０，３０、及び、吹き出し調整部５０，５０を任意のタイミングで駆動させる駆動制御部６２を有している。具体的には、駆動制御部６２は、実行部６１が受信した制御部６０からの制御信号に基づいて、水平フラップ２５の姿勢や、側方遮蔽部材３０，３０及び吹き出し調整部５０，５０の状態を切り換える。なお、駆動制御部６２は、空気調和機において冷房運転や暖房運転を含む各種運転が行われている場合には、垂直フラップ２１がケーシング１１の長手方向に対して左右方向に揺動するように、駆動機構２２の駆動を制御する。
【００５８】
例えば、制御部６０から通常冷房モードの設定指令に関する制御信号が送信された場合、駆動制御部６２は、水平フラップ２５が、広角姿勢以外の所定の姿勢（例えば、図２に示すような姿勢）を採るように、駆動機構２６を駆動させる。そして、通常冷房モードが実行されることで、吹き出し口１３の正面部１４から室内に吹き出された冷気は、水平フラップ２５によって規制されて所定方向に向かって吹き出される。
【００５９】
また、例えば、制御部６０から広角吹き出し冷房モードの設定指令に関する制御信号が送信された場合、駆動制御部６２は、水平フラップ２５が広角姿勢を採り、側方遮蔽部材３０，３０が開状態を採り、かつ、吹き出し調整部５０，５０が迫り出し状態を採るように、各駆動機構２６，３１，５１を駆動させる。そして、広角吹き出し冷房モードが実行されることで、吹き出し口１３の正面部１４から吹き出された冷気は、吹き出し調整部５０，５０及び水平フラップ２５に規制され、室内機１０の前方、後方及び左右両側方に略水平方向に吹き出される。また、吹き出し流路Ｂを流れて吹き出し口１３の側面部１５，１５に至った冷気は、室内機１０の側方に向かって吹き出される。
【００６０】
なお、制御部６０から冷房運転及び暖房運転を含む運転の運転停止指令に関する制御信号が送信された場合、駆動制御部６２は、水平フラップ２５が吹き出し口１３の正面部１４を覆う姿勢となるように駆動機構２６を駆動させ、側方遮蔽部材３０，３０が開状態である場合には、側方遮蔽部材３０，３０が閉状態となるように駆動機構３１を駆動させ、かつ、吹き出し調整部５０，５０が迫り出し状態である場合には、吹き出し調整部５０，５０が収納状態となるように駆動機構５１を駆動させる。これにより、吹き出し調整部５０，５０がケーシング１１内に収納され、水平フラップ２５及び側方遮蔽部材３０，３０によって吹き出し口１３が遮蔽される（図１参照）。
【００６１】
（２）広角吹き出し冷房モードが実行された場合の冷風の流れ
図７は、従来の室内機７１０を上方から見た図である。なお、図７中の矢印は、従来の室内機７１０において広角吹き出し冷房モードが実行されているときに吹き出し口７１３から吹き出される冷気の風向を示している。図８Ａは、本発明の室内機１０を上方から見た図である。なお、図８Ａ中の矢印は、室内機１０において広角吹き出し冷房モードが実行されているときに吹き出し口１３から吹き出される冷気の風向を示している。図８Ｂは、室内機１０を上方から見た図であって、所定風速を説明するための図である。
【００６２】
本実施形態の室内機１０において吹き出し調整部５０，５０を備えていない以外は同様の構成である室内機を、従来の室内機７１０とすると、室内機７１０では、図７に示すように、広角吹き出し冷房モードが実行された場合、吹き出し口７１３から前方及び側方の両方に略水平方向に冷気が吹き出されることで、平面視における吹き出し口７１３の周囲の所定領域には、吹き出し口７１３の前方から側方に渡るエアカーテンが形成される。
【００６３】
これに対して、本実施形態の室内機１０において、広角吹き出し冷房モードが実行された場合、吹き出し口１３の正面部１４から吹き出された冷気の風路の少なくとも一部（本実施形態では、２箇所）が吹き出し調整部５０，５０によって遮られるため、図８Ａに示すように、吹き出し口１３から吹き出された冷気は、吹き出し調整部５０，５０が配置されている部分を除いて、前方及び側方に向かって流れる。この結果、吹き出し調整部５０，５０によって、平面視における吹き出し口１３の周囲の所定領域において、風速が所定風速以下の途切れ領域（吹き出し途切れ領域に相当）が形成されることになる。
【００６４】
なお、ここでいう所定風速とは、吹き出し口１３から略水平方向に３０ｃｍ離れた位置（図８Ｂの一点鎖線で示す位置）における風速の平均値の５０％（好ましくは、２５％）の風速のことである。また、本実施形態では、吹き出し調整部５０，５０は、途切れ領域の幅の合計が、所定領域の幅の１０％以上となるように構成されている。ここで、本実施形態では、途切れ領域の幅の合計が所定領域の幅の１０％以上であるが、途切れ領域の幅の合計は、所定領域の幅の２０％以上であることがより好ましい。さらに、本実施形態では、吹き出し調整部５０，５０によって、所定領域に２箇所の途切れ領域が形成されているが、これに限定されず、３箇所以上の途切れ領域が形成されるように吹き出し調整部が構成されていてもよい。
【００６５】
また、ここでいう平面視とは、室内の壁Ｗ面に設置された状態の室内機を上側から見た状態をいう。
【００６６】
（３）特徴
（３−１）
吹き出し口の前方及び側方の両方に略水平方向に空気が吹き出されるように設計された室内機、例えば、図７に示すような従来の室内機７１０では、吹き出し口７１３の前方及び側方に略水平方向に空気が吹き出されることで、平面視における吹き出し口７１３の周囲の所定領域に、吹き出し口７１３の前方から側方に渡るエアカーテンが形成される。また、このエアカーテンは、吹き出し口７１３の周囲に形成されるため、吸い込み口７１２の下方を覆うように位置することになる。このように、吹き出し口７１３の周辺でエアカーテンが形成されることで、エアカーテンよりも下方にある室内の空気が、吸い込み口７１２から吸い込まれ難くなり、ショートサーキットが発生するおそれがある。また、吸い込み口７１２の下方を覆うエアカーテンが原因となってショートサーキットが発生した場合には、空調機能（特に、冷房機能）が低下し、ユーザに不快感を与えるおそれがある。
【００６７】
そこで、本実施形態では、吹き出し口１３の前方及び側方に略水平方向に冷気が吹き出される広角吹き出し冷房モードの実行時に、吹き出し口１３前方の少なくとも一部に圧損を設けて吹き出し口１３前方の少なくとも一部で冷気が流れ難くなるように、吹き出し調整部５０，５０に迫り出し状態を採らせている。これにより、平面視における吹き出し口１３の周囲の所定領域において途切れ領域が形成されることで、所定領域に形成されたエアカーテンよりも下方にある室内の空気が、途切れ領域からエアカーテンの上方に流れやすくなる。
【００６８】
これによって、ショートサーキット現象が発生するおそれを低減することができている。
【００６９】
（３−２）
本実施形態では、吹き出し調整部５０，５０は、吹き出し口１３の前部近傍であって、正面部１４の両端部近傍に配置されている。このため、広角吹き出し冷房モードが実行された場合、所定領域において、途切れ領域が左右離れた２箇所に形成される。
【００７０】
ここで、例えば、所定領域において、右側の途切れ領域が形成されていない場合には、吸い込み口の右側には、主に、エアカーテンの上方の空気が吸い込まれるおそれがある。
【００７１】
これに対して、本実施形態では、所定領域において、途切れ領域が左右離れた２箇所に形成されるため、吸い込み口の右側には、右側に形成された途切れ領域からエアカーテンの下方の空気が吸い込まれ、また、吸い込み口の左側には、左側に形成された途切れ領域からエアカーテンの下方の空気が吸い込まれる。したがって、例えば、所定領域において途切れ領域が１箇所だけに形成される場合と比較して、エアカーテンよりも下方の空気が、吹き出し途切れ領域から上方に流れやすくなっている。
【００７２】
これによって、ショートサーキット現象が発生するおそれを低減することができている。
【００７３】
（３−３）
本実施形態では、吹き出し調整部５０，５０が迫り出し状態を採ることで、吹き出し口１３の正面部１４から吹き出された冷気の風路の一部が遮蔽されている。このように、吹き出し調整部５０，５０は、吹き出し口１３から吹き出された冷気の風路の一部を遮蔽することで、途切れ領域を形成することができる。
【００７４】
（３−４）
本実施形態では、吹き出し調整部５０，５０は、途切れ領域の幅の合計が所定領域の幅の１０％以上となるように構成されているため、例えば、途切れ領域の幅の合計が所定領域の幅の１０％未満である場合と比較して、エアカーテンよりも下方の空気を、効果的に上方に流すことができる。
【００７５】
（３−５）
本実施形態では、吹き出し調整部５０，５０は、吹き出し口１３の前部近傍であって、正面部１４の両端部近傍に配置されているため、平面視において室内機１０の前方に途切れ領域が形成される。
【００７６】
なお、例えば、図９Ａに示すように、平面視において室内機７１０の側方に途切れ領域が形成される場合には、室内機７１０の後方（背面）には壁Ｗがあるため、エアカーテンの下方の空気を吸い込むことができるのは、主に、吸い込み口７１２において室内機の側面近傍に位置する部分Ｒ１，Ｒ１となり、吸い込み口７１２においてエアカーテンの下方の空気を吸い込むことが可能な領域が狭くなってしまう。
【００７７】
これに対して、本実施形態では、平面視において室内機１０の前方に途切れ領域が形成されることで、室内機１０の後方（背面）に壁Ｗがあっても、図９Ｂに示すように、吸い込み口１２において途切れ領域の近傍に位置する部分Ｒ２，Ｒ２から、エアカーテンの下方の空気を吸い込むことができる。この結果、途切れ領域が平面視において室内機７１０の側方に形成される場合と比較して、エアカーテンの下方の空気を吸い込むことが可能な吸い込み口の領域を広くすることができる。したがって、この室内機１０では、エアカーテンの下方の空気を有効に吸い込むことができている。
【００７８】
（４）変形例
（４−１）変形例１Ａ
上記実施形態では、吹き出し調整部５０，５０が、フラップ２０や側方遮蔽部材３０，３０とは別に設けられている。
【００７９】
これに代えて、水平フラップの一部が吹き出し調整部であってもよい。
【００８０】
例えば、図１０に示すように、水平フラップ１２５が、開閉式の板状の吹き出し調整部１５０を有していてもよい。吹き出し調整部１５０は、水平フラップ１２５が広角姿勢を採る場合に駆動機構により駆動されることで、吹き出し口１１３の正面部１１４の少なくとも一部を遮蔽するように配置される。これにより、吹き出し口１１３の少なくとも一部に圧損が設けられ、吹き出し口１１３前方の少なくとも一部で冷気が流れ難くなるため、平面視における吹き出し口１１３の周囲の所定領域に途切れ領域を形成することができる。この結果、吸い込み口（図示せず）の下方を覆うようなエアカーテンが形成されないようにすることができる。
【００８１】
また、吹き出し調整部が、吹き出し口の正面部から吹き出された冷気が側方に向かわないように水平フラップに設けられたリブであってもよい。例えば、吹き出し調整部２５０としてのリブが、水平フラップ２２５の両端部近傍に位置していてもよい（図１１参照）。なお、吹き出し調整部２５０としてのリブは、水平フラップ２２５の両端部近傍であれば、図１２（ａ）に示すように、水平フラップ２２５の短辺近傍に配置されていてもよく、また、図１２（ｂ）に示すように、水平フラップ２２５の短辺よりも中央よりに設けられていてもよい。さらに、リブの数は限定されず、例えば、複数設けられていてもよい。このように、吹き出し調整部２５０としてのリブが水平フラップ２２５の両端部近傍に位置している場合には、吹き出し口２１３の正面部２１４から吹き出された空気は、リブによって規制されることで、側方に向かい難くなる（図１３参照）。この結果、冷房運転時には、水平フラップ２２５に規制されて前方及び後方に向かって冷気が流れるため、吹き出し口２１３の側面部２１５から吹き出された空気の流れと、吹き出し口２１３の正面部２１４から吹き出された空気の流れとが重ならないようにすることができる。これにより、平面視における吹き出し口２１３の周囲の所定領域において途切れ領域を形成することができるため、吹き出し口２１３の周囲を囲むようにエアカーテンが形成されるおそれを低減でき、所定領域に形成されたエアカーテンよりも下方にある室内の空気が、途切れ領域からエアカーテンの上方に流れやすくなる。この結果、ショートサーキット現象が発生するおそれを低減することができる。
【００８２】
なお、図１３において、符号２１１はケーシングを示しており、符号２１２は、吸い込み口を示している。
【００８３】
（４−２）変形例１Ｂ
上記実施形態では、吹き出し調整部５０，５０が、吹き出し口１３から吹き出される空気の流れの一部を阻害するように構成されており、吹き出し調整部５０，５０が迫り出し状態を採ることで途切れ領域が形成されている。
【００８４】
これに代えて、吹き出し調整部が、吹き出し口前方への吹き出し空気流の少なくもと一部、又は、吹き出し口側方への吹き出し空気流の少なくとも一部が下方に向くように構成されており、平面視における吹き出し口の周囲の所定領域において、一部の空気流が下方に向かって流れることで途切れ領域が形成されてもよい。
【００８５】
例えば、吹き出し調整部３５０が、水平フラップ３２５に設けられた切り欠き部３５１，３５２，３５３であってもよい。切り欠き部３５１，３５２は、図１４に示すように、水平フラップ３２５の前側端部に位置していてもよく、図１５に示すように、水平フラップ３２５の前部であって、かつ、水平フラップ３２５の側端部よりも中央側に位置していてもよい。さらに、切り欠き部３５３が、水平フラップ３２５の前側端部に位置している場合には、図１６に示すように、水平フラップ３２５が、水平フラップ３２５の前端の所定位置から水平フラップ３２５の側端に向かって斜めに切り欠かれることで形成されていてもよい。
【００８６】
水平フラップ３２５において切り欠き部３５１，３５２，３５３の設けられている部分は、他の部分と比較してその前縁が後方に位置するため、切り欠き部３５１，３５２，３５３の形成されている部分から流れる空気は、切り欠き部３５１，３５２，３５３の形成されていない他の部分から流れる空気と比較して下方に流れる。
【００８７】
そして、切り欠き部３５１，３５３が、水平フラップ３２５の前側端部に位置している場合には、吹き出し口３１３から吹き出された空気のうち切り欠き部の位置する部分の空気、すなわち、吹き出し口３１３から吹き出された空気のうち、水平フラップ３２５によって規制されて側方に向かう空気の一部が、他の部分の空気よりも下方に向かって流れる（図１７の破線矢印参照）。このため、吹き出し口３１３の正面部３１４から吹き出された空気の流れと、吹き出し口３１３の側面部３１５から吹き出された空気の流れとが重ならないようにすることができる。すなわち、吹き出し口３１３から吹き出される冷気の流れの一部が、略水平方向よりも下向きに流れるため、平面視における吹き出し口３１３の周囲の所定領域に途切れ領域を形成することができる。
【００８８】
また、切り欠き部３５２が、水平フラップ３２５の前部であって、かつ、水平フラップ３２５の側端部よりも中央側に位置している場合には、吹き出し口３１３から吹き出された空気のうち切り欠き部３５２の位置する部分の空気、すなわち、吹き出し口３１３から吹き出された空気のうち、水平フラップ３２５によって規制されて前方に向かう空気の一部が、他の部分の空気よりも下方に向かって流れる（図１８の破線矢印参照）。このため、吹き出し口３１３の正面部３１４から吹き出された冷気の一部が、略水平方向よりも下向きに流れることで、平面視における吹き出し口３１３の周囲の所定領域に途切れ領域を形成することができる。
【００８９】
なお、図１７及び図１８において、符号３１２は、吸い込み口を示している。
【００９０】
また、吹き出し調整部が、図１９に示すように、ケーシング３１１の吹き出し口３１３近傍に設けられた凹み３５４であってもよい。
【００９１】
（４−３）変形例１Ｃ
上記実施形態では、吹き出し調整部５０，５０は、吹き出し口１３近傍に配置される板状の部材である。
【００９２】
これに代えて、吹き出し調整部が、吹き出し流路Ｂを構成する流路形成部に設けられていてもよい。
【００９３】
ここで、図２０（ａ）は、従来の室内機７１０の縦断面図であり、図２０（ｂ）は、吹き出し流路Ｂを構成する流路形成部４１１ａに吹き出し調整部４５０としての凹部４５１が設けられた室内機４１０の縦断面図である。なお、流路形成部４１１ａ，７１１ａは、それぞれ、ケーシング４１１，７１１の一部である。
【００９４】
従来の室内機７１０では、図２０（ａ）に示すように、吹き出し流路Ｂを流れる空気は、吹き出し口７１３から吹き出され、所定の姿勢を採る水平フラップ７２５に規制されることで、所定の方向へと向かう。
【００９５】
これに対して、図２０（ｂ）に示すように、吹き出し流路Ｂの吹き出し口４１３前部近傍を広げるように、吹き出し調整部４５０としての凹部４５１が設けられている場合には、吹き出し口４１３の正面部４１４から吹き出される冷気を、水平フラップ４２５が十分に規制できないため、下方に向かって冷気を流すことができる。この結果、吹き出し口４１３の正面部４１４から吹き出された空気の一部が、水平フラップ４２５に規制されて略水平方向に向かうことなく、下方に向かって流れることで、平面視における吹き出し口４１３の周囲の所定領域に途切れ領域が形成される。これにより、吸い込み口４１２の下方を覆うようなエアカーテンが形成されるおそれを低減することができる。
【００９６】
（４−４）変形例１Ｄ
上記実施形態では、吹き出し調整部５０，５０が、フラップ２０や側方遮蔽部材３０，３０とは別に設けられており、水平フラップ２５は、略全体が板状の部材である。これに代えて、吹き出し調整部が、水平フラップの一部が変形されて構成されていてもよい。
【００９７】
例えば、吹き出し調整部５５０が、図２１に示すように、水平フラップ５２５の前側端部或いは側端部から下方に向かって折れ曲がるように形成された湾曲部５５１であってもよい。また、吹き出し調整部５５０が、図２２に示すように、水平フラップ５２５の前部において下方に向かって窪むように形成された凹部５５２であってもよい。水平フラップ５２５を上記構成とすることにより、吹き出し口５１３から吹き出された冷気が、湾曲部５５１或いは凹部５５２によって規制されて、略水平方向よりも下方に向かって流れることで、平面視における吹き出し口５１３の周囲の所定領域に途切れ領域を形成することができる。
【００９８】
（４−５）変形例１Ｅ
上記実施形態では、水平フラップ２５は、略長方形状を呈する板状の部材である。
【００９９】
これに代えて、吹き出し調整部が、水平フラップの肉厚が部分的に増すように水平フラップに設けられた凸部であってもよい。例えば、図２３，図２４に示すように、水平フラップ６２５の前部の一部に、吹き出し調整部６５０としての凸部６５１が設けられている場合には、吹き出し口６１３の正面部６１４から吹き出された空気のうち、水平フラップ６２５の凸部６５１以外の部分によって規制された空気は、前方、後方及び側方に略水平方向に向かって流れ、凸部６５１によって規制された空気は、コアンダ効果により略水平方向よりも下方に向かって流れる（図２４参照）。このように、吹き出し口６１３の正面部６１４から吹き出された空気の一部が略水平方向よりも下方に向かって流れることで、吸い込み口（図示せず）の下方を覆うようなエアバリアが形成されるおそれを低減することができる。
【０１００】
（４−６）変形例１Ｆ
上記実施形態では、水平フラップ２５が広角姿勢を採る場合には、吹き出し口１３の正面部１４から吹き出された空気は、水平フラップ２５に規制されることで、室内機１０の前方、後方及び両側方に略水平方向に吹き出される。
【０１０１】
これに代えて、水平フラップ２５の後縁側が閉じた姿勢を、広角姿勢としてもよい。この場合、吹き出し口１３の正面部１４から吹き出された空気は、水平フラップ２５に規制されることで、室内機１０の前方及び両側方に略水平方向に吹き出される。このように、水平フラップ２５が、本変形例における広角姿勢を採る場合であっても、広角吹き出しモードが実行されることで、吹き出し調整部５０，５０が迫り出し状態を採るため、平面視における吹き出し口１３の周囲の所定領域において途切れ領域が形成される。この結果、ショートサーキット現象が発生するおそれを低減することができる。
【０１０２】
＜第２実施形態＞
以下、図面を参照しながら本発明の第２実施形態に係る室内機８１０について説明する。なお、以下の実施形態は、本発明の具体例であって、本発明の技術的範囲を限定するものではない。
【０１０３】
（１）室内機の構成
室内機８１０は、室内の壁Ｗ面に取り付けられる壁掛型の室内機である。室内機８１０は、冷房機能を有しており、室外に設置される室外機（図２６参照）８９０と共に空気調和機を構成しており、冷房運転や暖房運転を含む各種運転が行われる。また、室内機８１０は、主として、ケーシング８１１と、フラップ８２０と、側方遮蔽部材８３０，８３０と、制御部８６０と、を備える（図２５，図２６参照）。
【０１０４】
（１−１）ケーシング
ケーシング８１１は、水平方向に長い略直方形状の部材である。なお、ケーシング８１１の構成は、上記第１実施形態のケーシング１１と同様の構成であるため、ここでは説明を省略する。
【０１０５】
（１−２）複数のフラップ
フラップ８２０は、吹き出し口８１３から吹き出す空気の風向を変更可能であって、複数のフラップ８２１，８２５を有している。複数のフラップ８２１，８２５には、複数の垂直フラップ８２１と、１又は複数の水平フラップ８２５と、が含まれる。
【０１０６】
複数の垂直フラップ８２１は、図２５に示すように、吹き出し流路Ｂに配置されている。また、複数の垂直フラップ８２１は、連結棒（図示せず）によって連結されており、複数の駆動モータを有する所定の駆動機構（図２６参照）８２２により、連結棒が駆動される。駆動機構８２２によって連結棒が駆動されることで、連結された複数の垂直フラップ８２１が、同時に同方向へ揺動する。具体的には、連結された複数の垂直フラップ８２１の面が、ケーシング８１１の長手方向に対して垂直な状態を中心に左又は右に揺動する。なお、本実施形態では、複数の垂直フラップ８２１が連結棒によって連結されて、少なくとも４つの垂直フラップ群８２１ａ，８２１ｂ，８２１ｃ，８２１ｄが構成されている。垂直フラップ群８２１ａ，８２１ｂ，８２１ｃ，８２１ｄは、揺動することにより、または、揺動した後に任意の角度で止まることで、室内機８１０の左右方向における調和空気の吹き出し方向を調整する。
【０１０７】
水平フラップ８２５は、室内機８１０の左右方向に長い板状の部材である。また、水平フラップ８２５は、室内機８１０の下部に配置されている。具体的には、水平フラップ８２５は、吹き出し口８１３においてケーシング８１１の底面に形成されている開口部分の略全部を覆うことが可能なように配置されている。なお、本実施形態では、室内機８１０は、１枚の水平フラップ８２５を備えているが、これに限定されず、複数枚の水平フラップを備えていてもよい。
【０１０８】
また、水平フラップ８２５は、所定の姿勢を採ることにより、室内機８１０の上下方向における調整空気の吹き出し方向を調整する。なお、水平フラップ８２５は、駆動モータを有する所定の駆動機構（例えば、ラック／ピニオン機構を有する駆動機構や、リンク機構等）８２６により駆動されることによって、姿勢が変更され、かつ、変更された姿勢が維持される。
【０１０９】
さらに、水平フラップ８２５の所定の姿勢には、広角姿勢が含まれる（図４参照）。広角姿勢とは、吹き出し口８１３において、水平フラップ８２５によって覆われる部分を吹き出し口８１３の正面部８１４とすると、吹き出し口８１３の正面部８１４に対して略平行に配置される水平フラップ８２５の姿勢のことである。水平フラップ８２５が、広角姿勢を採る場合には、吹き出し口８１３の正面部８１４から吹き出された空気は、水平フラップ８２５に規制されることで、室内機８１０の前方、後方及び両側方に略水平方向に吹き出される。
【０１１０】
（１−３）側方遮蔽部材
側方遮蔽部材８３０，８３０は、吹き出し口８１３において、主にケーシング８１１の側面に形成されている開口部分８１５，８１５を覆うことが可能な部材であって、室内機８１０の左右両側方下部に配置されている。なお、側方遮蔽部材８３０，８３０の構成は、上記第１実施形態の側方遮蔽部材３０，３０と同様の構成であるため、ここでは説明を省略する。また、側方遮蔽部材８３０，８３０は、駆動機構８３１によって駆動される。さらに、本実施形態の室内機８１０は、側方遮蔽部材８３０，８３０を備えているが、これに限定されず、側方遮蔽部材を備えておらず、吹き出し口において、ケーシングの側面に形成されている開口部分が常に開放されていてもよい。
【０１１１】
（１−４）制御部
制御部８６０は、図２６に示すように、室内機８１０および室外機８９０の各種機器と接続されており、リモートコントローラ８８０を介したユーザからの運転指令に基づいて、冷房運転や暖房運転等の各運転モードに応じた各種機器の運転制御を行う。なお、リモートコントローラ８８０の構成は、上記第１実施形態のリモートコントローラ８０と同様の構成であるため、ここでは説明を省略する。
【０１１２】
また、制御部８６０は、実行部８６１を備えている。実行部８６１は、室内機８１０の各種機器の運転制御を行うことで、各種運転モードに応じた運転を実行する。また、実行部８６１は、制御部８６０から送信されるリモートコントローラ８８０からの運転モード設定指令及び運転停止指令に関する各制御信号を、受信することができる。
【０１１３】
さらに、実行部８６１は、水平フラップ８２５、垂直フラップ８２１及び側方遮蔽部材８３０，８３０のそれぞれを駆動させる駆動機構８２２，８２６，８３１を制御することで、水平フラップ８２５、垂直フラップ８２１及び側方遮蔽部材８３０，８３０を任意のタイミングで駆動させる駆動制御部８６２を有している。具体的には、駆動制御部８６２は、実行部８６１が受信した制御部８６０からの制御信号に基づいて、水平フラップ８２５の姿勢や、側方遮蔽部材８３０，８３０の状態を切り換える。なお、駆動制御部８６２は、制御部８６０から広角吹き出し冷房モードの設定指令に関する制御信号が送信されない場合には、複数の垂直フラップ８２１がケーシング８１１の長手方向に対して左右方向に揺動するように駆動機構８２２を駆動させる。
【０１１４】
例えば、制御部８６０から通常冷房モードの設定指令に関する制御信号が送信された場合、駆動制御部８６２は、複数の垂直フラップ８２１が、左右に揺動するように駆動機構８２２を駆動させ、かつ、水平フラップ８２５が、広角姿勢以外の所定の姿勢（例えば、図２に示すような姿勢）を採るように、駆動機構８２６を駆動させる。これにより、吹き出し口８１３の正面部８１４から室内に吹き出された調和空気は、水平フラップ８２５によって規制されて所定方向に向かって吹き出される。
【０１１５】
また、例えば、制御部８６０から広角吹き出し冷房モードの設定指令に関する制御信号が送信された場合、駆動制御部８６２は、垂直フラップ群８２１ａ，８２１ｃが、左方向に揺動した状態で固定され、垂直フラップ群８２１ｂ，８２１ｄが、右方向に揺動した状態で固定されるように、駆動機構８２２を駆動させ、水平フラップ８２５が広角姿勢を採るように各駆動機構８２６を駆動させ、側方遮蔽部材８３０，８３０が開状態を採るように駆動機構８３１を駆動させる。このとき、隣り合う垂直フラップ群８２１ａ，８２１ｂ，８２１ｃ，８２１ｄ同士が、異なる方向に揺動した状態で固定されることで、垂直フラップ群８２１ａと垂直フラップ群８２１ｂとの間、及び、垂直フラップ群８２１ｃと垂直フラップ群８２１ｄとの間には、積極的に冷気が案内されず、他の部分と比較して冷気の流れる量が少なくなる（図２５参照）。この結果、吹き出し口８１３から吹き出された冷気は、前方及び側方に流れるが、室内機８１０を上方から見た図である図２７に示すように、前方に流れる冷気の流れと側方に流れる冷気の流れとの間に、冷気の流れない、或いは、冷気の流量の少ない領域が形成される。なお、図２７において、符号８１２は、吸い込み口を示している。
【０１１６】
なお、制御部８６０から冷房運転及び暖房運転を含む運転の運転停止指令に関する制御信号が送信された場合、駆動制御部８６２は、水平フラップ８２５が吹き出し口８１３の正面部８１４を覆う姿勢となるように駆動機構８２６を駆動させ、側方遮蔽部材８３０，８３０が開状態である場合には、側方遮蔽部材８３０，８３０が閉状態となるように駆動機構８３１を駆動させる。これにより、水平フラップ８２５及び側方遮蔽部材８３０，８３０によって吹き出し口８１３が遮蔽される（図１参照）。
【０１１７】
（２）広角吹き出し冷房モードが実行された場合の冷風の流れ
図２８は、２つの垂直フラップ群９２１ａ，９２１ｂを有するフラップを備える室内機９１０の縦断面図であって、室内機９１０において所定の広角吹き出し冷房モードが実行されている場合の複数の垂直フラップ９２１の向き、及び、複数の垂直フラップ９２１により案内される冷気の流れる方向を示している。図２９は、２つの垂直フラップ群９２１ａ，９２１ｂを有するフラップを備える室内機９１０を上方から見た図である。なお、図２９中の矢印は、室内機９１０において所定の広角吹き出し冷房モードが実行されているときに吹き出し口９１３から吹き出される冷気の風向を示している。
【０１１８】
発明者は、吹き出し口の前方及び側方の両方に略水平方向に冷気が吹き出される室内機におけるエアカーテンの形成状況について検討したところ、以下のような知見を得た。
【０１１９】
図２８に示すように、室内機９１０において、垂直フラップ群９２１ａが左方向に揺動されて固定され、垂直フラップ群９２１ｂが右方向に揺動して固定された状態で、所定の広角吹き出し冷房モード（本実施形態において、垂直フラップ群８２１ａ，８２１ｂ，８２１ｃ，８２１ｄの揺動状態のみ異なる広角吹き出し冷房モード）が実行された場合、吹き出し口９１３から略水平方向に３０ｃｍ離れた位置における風速は、吹き出し口９１３の周囲に渡ってほぼ均等であった。この結果から、室内機９１０において、図２８に示すように各垂直フラップ群９２１ａ，９２１ｂが揺動して固定された状態で、所定の広角吹き出し冷房モードが実行された場合、垂直フラップ群９２１ａ，９２１ｂによって積極的に冷気が案内されるか否かにかかわらず、室内機９１０を上方から見た図である図２９に示すように、平面視における吹き出し口９１３の周囲の所定領域には、吹き出し口９１３の前方から側方に渡るエアカーテンが形成されていると考えられた。
【０１２０】
これに対して、広角吹き出し冷房モードが実行される場合に、垂直フラップ群８２１ａ，８２１ｂ，８２１ｃ，８２１ｄによって積極的に冷気が案内されない部分を、少なくとも２箇所以上形成することで、図２７に示すように、平面視における吹き出し口８１３の周囲の所定領域において、風速が所定風速以下の途切れ領域を２箇所形成することができる。この結果、吹き出し口８１３の前方から側方に渡るエアカーテンが形成されないようにすることができる。
【０１２１】
なお、ここでいう所定風速とは、上記第１実施形態と同様の風速を意味している。また、本実施形態では、垂直フラップ群８２１ａ，８２１ｂ，８２１ｃ，８２１ｄは、途切れ領域の幅の合計が所定領域の幅の１０％以上となるように構成されているが、途切れ領域の幅の合計が所定領域の幅の２０％以上であることがより好ましい。
【０１２２】
また、ここでいう平面視とは、室内の壁Ｗ面に設置された状態の室内機を上側から見た状態をいう。
【０１２３】
（３）特徴
（３−１）
本実施形態では、吹き出し口８１３から前方及び側方の両方に略水平方向に冷気が吹き出される場合、すなわち、広角吹き出し冷房モードが実行される場合には、垂直フラップ８２１の駆動を制御することで、吹き出し口８１３の正面部８１４前方の少なくとも一部で冷気の流れにくい領域を形成することができる。このように、平面視における吹き出し口８１３の周囲の所定領域において途切れ領域が形成されることで、所定領域に形成されたエアカーテンよりも下方にある室内の空気が、途切れ領域からエアカーテンの上方に流れやすくなる。
【０１２４】
これによって、ショートサーキット現象が発生するおそれを低減することができている。
【０１２５】
（３−２）
本実施形態では、広角吹き出し冷房モードが実行された場合、所定領域において、途切れ領域が２箇所で形成されている。このため、例えば、所定領域において途切れ領域が１箇所だけ形成される場合と比較して、エアカーテンよりも下方の冷気が、吹き出し途切れ領域から上方に流れやすくなっている。
【０１２６】
（３−３）
本実施形態では、広角吹き出し冷房モードが実行された場合、隣り合う垂直フラップ群８２１ａ，８２１ｂ，８２１ｃ，８２１ｄ同士が異なる方向に揺動した状態で固定されることで、冷気の流れにくい領域が形成され、平面視における吹き出し口８１３の周囲の所定領域に途切れ領域が形成されている。
【０１２７】
（４）変形例
（４−１）変形例２Ａ
上記実施形態では、駆動機構８２２によって、垂直フラップ群８２１ａ，８２１ｂ，８２１ｃ，８２１ｄ毎に、異なる方向に駆動されている。
【０１２８】
これに代えて、複数の垂直フラップ８２１が個別に駆動可能であってもよい。複数の垂直フラップ８２１が個別に駆動可能である場合には、複数の垂直フラップ８２１の一部が、水平に配置されたり（図３０（ａ）参照）、山型に配置されたり（図３０（ｂ）参照）してもよい。垂直フラップ８２１がこのように配置されることで、風路の一部に圧損を設けることができる。この結果、広角吹き出し冷房モードの実行時に、吹き出し口８１３の正面部８１４前方の少なくとも一部で冷気の流れにくい領域を形成することができるため、平面視における吹き出し口８１３の周囲の所定領域において、途切れ領域を形成することができる。
【０１２９】
（４−２）変形例２Ｂ
上記実施形態では、広角吹き出し冷房モードの実行時には、垂直フラップ群８２１ａ，８２１ｂ，８２１ｃ，８２１ｄの駆動が制御されることで、平面視における吹き出し口８１３の周囲の所定領域に途切れ領域が形成されている。
【０１３０】
これに代えて、複数の水平フラップ８２５，８２５，・・・によって、途切れ領域が形成されてもよい。具体的には、左右方向に隣接する複数の水平フラップ８２５，８２５，・・・によって吹き出し口８１３の正面部８１４が覆われる場合には、広角吹き出し冷房モードの実行時に、複数の水平フラップ８２５，８２５，・・・のうちの少なくとも１つが正面部８１４の一部を遮蔽するように配置され、他の水平フラップ８２５，８２５，・・・が正面部８１４に対して略平行に配置されるように、各水平フラップ８２５，８２５，・・・が駆動されてもよい。このように、正面部８１４の一部を水平フラップ８２５によって遮蔽して冷気の吹き出しを阻害することで、吹き出し口８１３前方の少なくとも一部で冷気の流れ難い領域を形成することができる。これにより、平面視における吹き出し口８１３の周囲の所定領域において、途切れ領域を形成することができるため、ショートサーキット現象が発生するおそれを低減することができる。
【０１３１】
（４−３）変形例２Ｃ
上記実施形態では、水平フラップ８２５が広角姿勢を採る場合には、吹き出し口８１３の正面部８１４から吹き出された空気は、水平フラップ８２５に規制されることで、室内機８１０の前方、後方及び両側方に略水平方向に吹き出される。
【０１３２】
これに代えて、水平フラップ８２５の後縁側が閉じた姿勢を、広角姿勢としてもよい。この場合、吹き出し口８１３の正面部８１４から吹き出された空気は、水平フラップ８２５に規制されることで、室内機８１０の前方及び両側方に略水平方向に吹き出される。このように、水平フラップ８２５が、本変形例における広角姿勢を採る場合であっても、広角吹き出しモードが実行されることで、垂直フラップ群８２１ａ，８２１ｂ，８２１ｃ，８２１ｄによって積極的に冷気が案内されない部分が形成されるため、平面視における吹き出し口８１３の周囲の所定領域において途切れ領域が形成される。この結果、ショートサーキット現象が発生するおそれを低減することができる。
【産業上の利用可能性】
【０１３３】
本発明は、壁掛型の空調室内機において、吹き出し口の前方及び側方に同時に空気を吹き出すことで室内の広い範囲を空調する場合に、ショートサーキット現象が発生するおそれを低減することができるため、冷房機能を有する空調室内機への適用が有効である。
【符号の説明】
【０１３４】
４５１      凹部
５５１      湾曲部
５５２      凹部
８２１      垂直フラップ
１０，８１０  室内機（空調室内機）
１１，２１１，３１１，４１１，８１１  ケーシング
１２，８１２  吸い込み口
１３，１１３，２１３，３１３，４１３，５１３，６１３，８１３  吹き出し口
２０，８２０  フラップ
６０，８６０  制御部
３２５，５２５，８２５  水平フラップ
３５１，３５２，３５３  切り欠き部
【先行技術文献】
【特許文献】
【０１３５】
【特許文献１】特開２００６−２９８４号公報
【図１】
2012202663.tif 000003
【図２】
2012202663.tif 000004
【図３】
2012202663.tif 000005
【図４】
2012202663.tif 000006
【図５】
2012202663.tif 000007
【図６】
2012202663.tif 000008
【図７】
2012202663.tif 000009
【図８Ａ】
2012202663.tif 000010
【図８Ｂ】
2012202663.tif 000011
【図９Ａ】
2012202663.tif 000012
【図９Ｂ】
2012202663.tif 000013
【図１０】
2012202663.tif 000014
【図１１】
2012202663.tif 000015
【図１２】
2012202663.tif 000016
【図１３】
2012202663.tif 000017
【図１４】
2012202663.tif 000018
【図１５】
2012202663.tif 000019
【図１６】
2012202663.tif 000020
【図１７】
2012202663.tif 000021
【図１８】
2012202663.tif 000022
【図１９】
2012202663.tif 000023
【図２０】
2012202663.tif 000024
【図２１】
2012202663.tif 000025
【図２２】
2012202663.tif 000026
【図２３】
2012202663.tif 000027
【図２４】
2012202663.tif 000028
【図２５】
2012202663.tif 000029
【図２６】
2012202663.tif 000030
【図２７】
2012202663.tif 000031
【図２８】
2012202663.tif 000032
【図２９】
2012202663.tif 000033
【図３０】
2012202663.tif 000034